【手続補正書】
【提出日】平成20年4月3日(2008.4.3)
【手続補正１】
【補正対象書類名】特許請求の範囲
【補正対象項目名】全文
【補正方法】変更
【補正の内容】
【特許請求の範囲】
【請求項１】
原子発振器の原子ガスに用いられる原子の共鳴周波数に共振するマイクロ波共振器と、該マイクロ波共振器内にマイクロ波を放射する放射用アンテナと、原子ガスを透過した光の強度を検出するフォトセンサと、を有する光マイクロ波ユニットと、
前記フォトセンサから出力された信号の供給を受ける位相弁別器と、
該位相弁別器が出力した電圧に基づいて発振周波数が制御される電圧制御発振器と、
位相変調器と、
該位相変調器の出力信号を逓倍する周波数逓倍部と、
該周波数逓倍部の出力信号が入力され、前記放射用アンテナより放射するマイクロ波を生成する為の混変調部と、を備え、
前記位相変調器が、クワッドレチャ・ハイブリッドを有し、
前記クワッドレチャ・ハイブリッドが、進相端子と、遅相端子と、前記位相変調器の出力信号が出力される出力端子と、前記電圧制御発振器からの信号の供給を受ける入力端子とを備え、
前記進相端子には、前記電圧制御発振器の出力信号の位相に対して位相が進んだ信号が発生し、前記遅相端子には、前記電圧制御発振器の出力信号の位相に対して位相が遅れた信号が発生するものであり、
前記電圧制御発振器の出力信号を変調する為に変調波の電圧によりリアクタンス値が制御される第１の可変リアクタンス素子を前記進相端子に接続し、変調波の電圧によりリアクタンス値が制御される第２の可変リアクタンス素子を前記遅相端子に接続したことを特徴とする原子発振器。
【請求項２】
ルビジウム原子の共鳴周波数に共振するマイクロ波共振器と、該マイクロ波共振器内にマイクロ波を放射する放射用アンテナと、ルビジウムガスを透過した光の強度を検出するフォトセンサと、を有する光マイクロ波ユニットと、
前記フォトセンサから出力された信号の供給を受ける位相弁別器と、
該位相弁別器が出力した電圧に基づいて発振周波数が制御される電圧制御発振器と、
位相変調器と、
該位相変調器の出力信号を逓倍する周波数逓倍部と、
該周波数逓倍部の出力信号が入力され、前記放射用アンテナより放射するマイクロ波を生成する為の混変調部と、を備え、
前記位相変調器が、クワッドレチャ・ハイブリッドを有し、
前記クワッドレチャ・ハイブリッドが、進相端子と、遅相端子と、前記位相変調器の出力信号が出力される出力端子と、前記電圧制御発振器からの信号の供給を受ける入力端子とを備え、
前記進相端子には、前記電圧制御発振器の出力信号の位相に対して位相が進んだ信号が発生し、前記遅相端子には、前記電圧制御発振器の出力信号の位相に対して位相が遅れた信号が発生するものであり、
前記電圧制御発振器の出力信号を変調する為に変調波の電圧によりリアクタンス値が制御される第１の可変リアクタンス素子を前記進相端子に接続し、変調波の電圧によりリアクタンス値が制御される第２の可変リアクタンス素子を前記遅相端子に接続したことを特徴とする原子発振器。
【請求項３】
前記クワッドレチャ・ハイブリッドが、該クワッドレチャ・ハイブリッドの入力端子と前記進相端子とを第１のコンデンサを介して接続し、前記入力端子と前記遅相端子とを第１のインダクタンスを介して接続し、前記進相端子と該クワッドレチャ・ハイブリッドの出力端子とを第２のインダクタンスを介して接続し、前記遅相端子と前記出力端子とを第２のコンデンサを介して接続した構成を有することを特徴とする請求項１又は２に記載の原子発振器。
【手続補正２】
【補正対象書類名】明細書
【補正対象項目名】発明の名称
【補正方法】変更
【補正の内容】
【発明の名称】原子発振器
【手続補正３】
【補正対象書類名】明細書
【補正対象項目名】０００９
【補正方法】変更
【補正の内容】
【０００９】
本発明はかかる課題を解決するために、原子発振器の原子ガスに用いられる原子の共鳴周波数に共振するマイクロ波共振器と、該マイクロ波共振器内にマイクロ波を放射する放射用アンテナと、原子ガスを透過した光の強度を検出するフォトセンサと、を有する光マイクロ波ユニットと、前記フォトセンサから出力された信号の供給を受ける位相弁別器と、該位相弁別器が出力した電圧に基づいて発振周波数が制御される電圧制御発振器と、位相変調器と、該位相変調器の出力信号を逓倍する周波数逓倍部と、該周波数逓倍部の出力信号が入力され、前記放射用アンテナより放射するマイクロ波を生成する為の混変調部と、を備え、前記位相変調器が、クワッドレチャ・ハイブリッドを有し、前記クワッドレチャ・ハイブリッドが、進相端子と、遅相端子と、前記位相変調器の出力信号が出力される出力端子と、前記電圧制御発振器からの信号の供給を受ける入力端子とを備え、前記進相端子には、前記電圧制御発振器の出力信号の位相に対して位相が進んだ信号が発生し、前記遅相端子には、前記電圧制御発振器の出力信号の位相に対して位相が遅れた信号が発生するものであり、前記電圧制御発振器の出力信号を変調する為に変調波の電圧によりリアクタンス値が制御される第１の可変リアクタンス素子を前記進相端子に接続し、変調波の電圧によりリアクタンス値が制御される第２の可変リアクタンス素子を前記遅相端子に接続したことを特徴とする。
【手続補正４】
【補正対象書類名】明細書
【補正対象項目名】００１０
【補正方法】変更
【補正の内容】
【００１０】
また、ルビジウム原子の共鳴周波数に共振するマイクロ波共振器と、該マイクロ波共振器内にマイクロ波を放射する放射用アンテナと、ルビジウムガスを透過した光の強度を検出するフォトセンサと、を有する光マイクロ波ユニットと、前記フォトセンサから出力された信号の供給を受ける位相弁別器と、該位相弁別器が出力した電圧に基づいて発振周波数が制御される電圧制御発振器と、位相変調器と、該位相変調器の出力信号を逓倍する周波数逓倍部と、該周波数逓倍部の出力信号が入力され、前記放射用アンテナより放射するマイクロ波を生成する為の混変調部と、を備え、前記位相変調器が、クワッドレチャ・ハイブリッドを有し、前記クワッドレチャ・ハイブリッドが、進相端子と、遅相端子と、前記位相変調器の出力信号が出力される出力端子と、前記電圧制御発振器からの信号の供給を受ける入力端子とを備え、前記進相端子には、前記電圧制御発振器の出力信号の位相に対して位相が進んだ信号が発生し、前記遅相端子には、前記電圧制御発振器の出力信号の位相に対して位相が遅れた信号が発生するものであり、前記電圧制御発振器の出力信号を変調する為に変調波の電圧によりリアクタンス値が制御される第１の可変リアクタンス素子を前記進相端子に接続し、変調波の電圧によりリアクタンス値が制御される第２の可変リアクタンス素子を前記遅相端子に接続したことを特徴とする。
【手続補正５】
【補正対象書類名】明細書
【補正対象項目名】００１１
【補正方法】変更
【補正の内容】
【００１１】
クワッドレチャ・ハイブリッドは、マイクロ波帯で用いられるマジックＴやブランチド
・ハイブリッドと同じ動作を与えるもので、４つのポートを備えている。この性質は、入
力端子から信号を入力すると、電力は進相端子と遅相端子に現れる。このとき２つの端子
の位相が進相端子では進み、遅相端子では遅れ、両端子間では９０度の位相差となる。そ
して、出力端子には何の出力も現れない。本発明ではこの性質を利用して、進相端子と遅
相端子に可変リアクタンス素子を接続して、出力端子に位相が異なる信号を出力するもの
である。これにより、簡単な回路構成により、出力レベルの変動を抑制した位相変調器を
提供することができる。
【手続補正６】
【補正対象書類名】明細書
【補正対象項目名】００１２
【補正方法】変更
【補正の内容】
【００１２】
また、上記特徴に加え、前記クワッドレチャ・ハイブリッドが、該クワッドレチャ・ハイブリッドの入力端子と前記進相端子とを第１のコンデンサを介して接続し、前記入力端子と前記遅相端子とを第１のインダクタンスを介して接続し、前記進相端子と該クワッドレチャ・ハイブリッドの出力端子とを第２のインダクタンスを介して接続し、前記遅相端子と前記出力端子とを第２のコンデンサを介して接続した構成を有することを特徴とする。
本発明によれば、出力レベルの変動を抑え、且つ回路規模が小さい位相変調器を適用したことで、小型且つ低価格なルビジウム原子発振器を提供することができる。